(57)【要約】【課題】  設計変化対して、過去の製品開発過程で蓄積された不具合情報や設計変化から推測される不具合を早期段階で予測し、その対策を施すことにより、設計完成度を高める。【解決手段】  製品開発設計者が操作するナビゲーション端末装置２と、製品設計過程で発生する設計変化点情報を含む設計品質管理情報を格納したサーバ５と、これを接続するネットワーク４を備えた設計変化点ナビゲーションシステム１において、設計品質管理情報は、設計変化点８を基点として、予測される不具合９、不具合がもたらす影響１０、不具合への対策１１が相関関係を有する紐付け情報として登録され、特定製品に依存しない設計変化点データベース７であることを特徴とする設計変化点ナビゲーションシステム。【選択図】図１
2005149142.tif 000002
【特許請求の範囲】
【請求項１】
製品開発設計者が操作するナビゲーション端末装置と、製品設計過程で発生する設計変化点情報を含む設計品質管理情報を格納したサーバと、これを接続するネットワークを備えた設計変化点ナビゲーションシステムにおいて、設計品質管理情報は、設計変化点を基点として、予測される不具合、不具合がもたらす影響、不具合への対策が相関関係を有する紐付け情報として登録され、特定製品に依存しない設計変化点データベースであることを特徴とする設計変化点ナビゲーションシステム。
【請求項２】
設計品質管理情報は、設計変化点データベースと相関関係を有し紐付けられた設計変化点関連情報データベースを有することを特徴とする請求項１に記載の設計変化点ナビゲーションシステム。
【発明の詳細な説明】
【技術分野】
【０００１】
本発明は、各種製品の設計品質管理に用いられる設計品質管理支援システムに関するので、さらに詳しくは、設計変化点を基点にして必要情報を登録した設計変化点データベースを備えた設計変化点ナビゲーションシステムに関する。
【背景技術】
【０００２】
製品開発では、総てを新規開発するよりもむしろ過去に開発した製品に何らかの変化を加える設計変更を行うことで新たな仕様に適合させる場合が多い。一方、製品開発過程で生じる不具合は、このような設計変更が行われる変化点に起因する確率が高く、設計変化点に対して起こり得る不具合を予測し、その対策を事前に施す設計管理手法が従来より適用されていた。（例えば、特許文献１参照）
特許文献１に記載された管理手法は、事業計画や新機種開発計画などの各テーマ毎に規定したルールデータベースと、各テーマのうちの何を誰が何時まで行うかなどの管理データを登録したプロジェクト管理データベースと、前記管理データに変更があった場合にその変更内容を登録した変化点管理データベースと、確認結果ＮＧデータなどを登録した問題点管理データベースと、問題解決の記録や確認結果ＯＫデータなどを登録した技術資料管理データベースと、指示内容を登録した基準類管理データベースと、問題点や確認結果などから抽出したノウハウを登録したノウハウ管理データベースとからなるデータバンクを備え、前記テーマの実施に際し、前記各テーマ毎に規定したルールデータベースを参照すると共に、前記変化点管理データベースと前記ノウハウ管理データベースを参照して、前記プロジェクト管理データベースから必要とされる各種業務を選択し、仕事の変化点データを入力すると、前記ルールデータベースに格納された前記変化点データに対応する仕事の進め方ルールが参照され、この仕事の進め方ルールに基づいて前記変化点データに対して必要とされる各種業務が選択されるというもので、変化点管理データベースは、毎テーマ毎に管理されていた。図４は上記したような従来の設計変化点に関する管理構造を模式化したものである。図４において、設計変化点５０、不具合５１、不具合がもたらす影響５２、不具合への対策５３は、それぞれ個別に設計変化点５４、不具合５５、不具合がもたらす影響５６、不具合への対策５７に分割され、かつ、それらは、例えば製品Ａ５８、製品Ｂ５９、製品Ｃ６０のように、それぞれ個別製品単位で管理されていた。
【特許文献１】特開平１０−２４０８１３号公報
【発明の開示】
【発明が解決しようとする課題】
【０００３】
しかし、上記のような従来の技術では、個々の製品開発で蓄積される設計変化点に関する知識は、当該製品のみに属する知識として取り扱われることから、以降の類似製品の開発段階において有効に活用できる構造のものではなく、一度起こした不具合を以降の製品設計段階においても再度引き起こすという課題があった。例えば、製品Ａ５８と製品Ｂ５９で設計変化点に関する同様の考慮点がある場合においても、製品毎に設計変化点情報を閉じていることから、一方で見落としが生じ、設計品質へ悪影響を及ぼすことがあった。
【０００４】
本発明は、このような課題を解決するものであり、特定の製品に限定されることなく、設計変化点そのものに着目することにより、設計変化点に関する知識を広く活用し、早期段階で高い設計完成度を確保することを目的としたものである。
【課題を解決するための手段】
【０００５】
上記目的を達成するため、本発明のナビゲーションシステムは、製品開発設計者が操作するナビゲーション端末装置と、製品設計過程で発生する設計変化点情報を含む設計品質管理情報を格納したサーバと、これを接続するネットワークを備えた設計変化点ナビゲーションシステムにおいて、設計品質管理情報は、設計変化点を基点として、予測される不具合、不具合がもたらす影響、不具合への対策が相関関係を有する紐付け情報として登録され、特定製品に依存しない設計変化点データベースであることを特徴とし、さらに、設計品質管理情報は、設計変化点データベースと相関関係を有し紐付けられた設計変化点関連情報データベースを有することを特徴とする設計変化点ナビゲーションシステムである。
【０００６】
本発明のナビゲーションシステムにより、設計者は製品開発の早期の段階で設計完成度を高めることができる。
【発明の効果】
【０００７】
以上のように、本発明の設計変化点ナビゲーションシステムによれば、設計変化点に対して、過去の製品開発過程で蓄積された不具合情報から発生するであろうと推測される不具合を早期段階で予測し、その対策を提示することができる。これにより、製品開発過程の早期段階で設計完成度を高めることが可能になる。
【発明を実施するための最良の形態】
【０００８】
以下本発明の設計変化点ナビゲーションシステムの実施例について、図面に基づいて説明する。
【０００９】
図１は、本発明に関わる設計変化点ナビゲーションシステムの構成図である。
【００１０】
設計変化点ナビゲーションシステム１は、製品開発設計者が操作するナビゲーションシステム端末装置２と、設計変化点関連情報データベース群６、設計変化点データベース７である設計品質管理情報を格納したサーバ５より構成され、これらは互いにネットワーク４で接続される。図において、６ａ〜６ｃは各設計変化点と相関関係を有する設計変化点関連情報データベースであり、１２は設計変化点８、不具合９、不具合がもたらす影響１０、及び不具合への対策１１の相関関係を示す。
【００１１】
図２は、設計変化点データベース７のデータ構造図である。本データ構造の特徴は、設計変化点８を基点として、予測される不具合９とその不具合がもたらす影響１０、及び不具合９への対策１１が個別の製品に依存しない形態で相関関係を有し、紐付き情報として登録されていることにある。この相関関係は、前記した図１の１２で示されており、この相関関係により、開発対象となる製品に限定されることなく、設計変化点データベース７に蓄積された全ての設計変化点情報の中から関係する情報を漏れなく獲得することができる。
【００１２】
また、この相関関係１２を利用すれば、ある不具合９が発生した場合にも、ナビゲーションシステム１を利用して、不具合の原因や対策方法の解を得られるようになる。なお、ここでは不具合９を例としたが、前述のデータ構造の特徴から、その他不具合がもたらす影響１０、不具合への対策１１をキーとして相関関係を活用しても同様の効果が得られる。
【００１３】
図３は、本発明の設計変化点ナビゲーションシステムのアルゴリズムを示したフローチャトである。図に示すように、ナビゲーションシステム１は、設計変化点データベース７や設計変化点関連情報データベース群６に蓄積された変化点情報の検索３２と、その情報を活用した新たな設計変化点データベース７への情報の蓄積を行なうことができるものであり、以下に各機能を詳細に述べる。
【００１４】
設計変化点情報を検索する場合は、検索３２において、検索キーワードを入力３３すると、そのキーワードに関係する設計変化点情報が検索結果３４として一覧表示され、変化点情報の検索結果の活用３５がなされる。前述したように、設計変化点データベース７は、設計変化と予測される不具合９、不具合がもたらす影響１０、不具合への対策１１がそれぞれの相関関係を有する紐付け情報であることから、検索キーワードは、特定製品に限定されず、設計変化点８に関連するあらゆる事象を対象とすることができる。この検索により、従来個々の製品毎で設計変化点を管理していた場合には見落とす可能性のあった設計品質に関わる項目を漏らさず確認することができる。なお、表示された結果の中で、活用が見込まれる内容については、設計変化点情報入力過程で入力される。例えば、その設計変化点情報を用いて新たな変化点情報を作成３６し、また時間が経過して新たな情報が加わった場合には、その新たな変化点情報を追加することができる。
【００１５】
新たな設計変化点情報の蓄積においては、変化点に関する情報の中でも、後の有効活用のために必要不可欠と見込まれる項目、例えば変化点の種類や変化する部品、変化の内容などの必須項目を含めた詳細な変化点情報項目を入力３７する。次に、入力された設計変化点情報３７と関連情報データベース群６、及び設計変化点データベース７との相関関係が検索３８され、相関関係があれば、該当内容が表示４０され、関連情報を参照する場合には、その内容が表示４２され、設計変化点情報として登録４３される。したがって変化点情報入力過程では、関連情報データ群６、例えば過去の失敗事例データベースや製品の規格・基準類を表示４２を参照しながら入力することが可能である。このように幅広く情報を活用することにより、設計変化点に対して発生し得る不具合９を早期に予測して対策１１を施すことが可能となり、設計完成度を向上させることができる。
【産業上の利用可能性】
【００１６】
本発明の設計変化点ナビゲーションシステムは、製品開発過程において早期段階で設計完成度を高めることが可能となるものであり、各種製品の設計品質管理の用途に適用できる。
【図面の簡単な説明】
【００１７】
【図１】本発明に関わる設計変化点ナビゲーションシステムの構成図
【図２】設計変化点データベースのデータ構造図
【図３】設計変化点ナビゲーションシステムのアルゴリズムを示したフローチャート
【図４】従来の設計変化点管理構造の模式図
【符号の説明】
【００１８】
１    設計変化点ナビゲーションシステム
２    ナビゲーション端末装置
３    設計変化点の通知
４    ネットワーク
５    サーバ
６    設計変化点関連情報データベース群
７    データベース
８    設計変化点
９    不具合
１０    不具合がもたらす影響
１１    不具合への対策
３０    設計変化点ナビゲーションシステムの開始
３１    設計変化点ナビゲーションシステムの機能選択
３２    設計変化点情報検索
３３    検索キーワード入力
３４    結果一覧表示
３５    結果の活用
３６    設計変化点情報作成
３７    項目入力
３８    関連情報参照
３９    相関関係の有無
４０    内容表示
４１    関連内容の参照の有無
４２    内容表示
４３    設計変化点情報登録
４４    終了
【図１】
2005149142.tif 000003
【図２】
2005149142.tif 000004
【図３】
2005149142.tif 000005
【図４】
2005149142.tif 000006